(57)【要約】【課題】材料取りが悪くなるのを抑制しながら機械的強度を十分に確保することが可能な段ボール製緩衝材を提供する。【解決手段】この段ボール製緩衝材１０２は、底部が開口している矩形の枠状部を構成するように一体的に設けられる第１辺部１、第２辺部２、第３辺部３および第４辺部４を備え、第１辺部１、第２辺部２、第３辺部３および第４辺部４のうちの少なくとも２つは、互いに直交する方向に嵌合されている。【選択図】図８
2013001430.tif 000002
【特許請求の範囲】
【請求項１】
底部が開口している矩形の枠状部を構成するように一体的に設けられる第１辺部、第２辺部、第３辺部および第４辺部を備え、
前記第１辺部、前記第２辺部、前記第３辺部および前記第４辺部のうちの少なくとも２つは、互いに直交する方向に嵌合されている、段ボール製緩衝材。
【請求項２】
前記第１辺部、前記第２辺部、前記第３辺部および前記第４辺部のうちの少なくとも１つは、水平方向に延びる棚面部を含む、請求項１に記載の段ボール製緩衝材。
【請求項３】
前記第１辺部、前記第２辺部、前記第３辺部および前記第４辺部は、それぞれ、外側面部、上面部、内側面部を含み、
前記第１辺部、前記第２辺部、前記第３辺部および前記第４辺部のうちの少なくとも１つの内側面部は、前記上面部に接続され鉛直下方向に延びる上部内側面部と、前記上部内側面部と略平行に鉛直下方向に延びる下部内側面部とを含み、
前記水平方向に延びる棚面部は、前記上部内側面部と前記下部内側面部とを接続するように構成されている、請求項２に記載の段ボール製緩衝材。
【請求項４】
前記第１辺部および前記第２辺部は、互いに対向するように配置されているとともに、前記第３辺部は、前記第１辺部の端部と前記第２辺部の端部とを連結するように設けられており、
前記第１辺部、前記第２辺部および前記第３辺部は、それぞれ、前記棚面部を含み、
前記第１辺部および前記第２辺部の少なくとも一方の前記棚面部には、第１孔部が設けられ、前記第３辺部の前記棚面部には、前記第１孔部に差し込まれる差込部が設けられている、請求項２または３に記載の段ボール製緩衝材。
【請求項５】
前記第１孔部は、前記第１辺部および前記第２辺部の両方の前記棚面部に設けられているとともに、前記第１孔部は、前記棚面部の厚み分切り欠かれた棚面切欠部を含み、
前記第３辺部の前記棚面部の前記差込部を、前記第１辺部および前記第２辺部の前記第１孔部に差し込むことにより、前記第３辺部の前記棚面部が前記第１辺部および前記第２辺部の前記棚面切欠部に配置されることによって、前記第１辺部および前記第２辺部の前記棚面部と、前記第３辺部の前記棚面部とが略面一になるように構成されている、請求項４に記載の段ボール製緩衝材。
【請求項６】
前記第３辺部に含まれる前記棚面部には、前記第３辺部の前記外側面部の内側に向かって突出して延びるように形成されるとともに、前記第３辺部の外側面部の内側に当接する当接部が設けられている、請求項４または５に記載の段ボール製緩衝材。
【請求項７】
前記第３辺部は、第２孔部を含み、
前記当接部は、前記第２孔部を介して、前記外側面部の内側に当接するように構成されている、請求項６に記載の段ボール製緩衝材。
【請求項８】
前記第１辺部、前記第２辺部、前記第３辺部および前記第４辺部は、それぞれ、外側面部、上面部、内側面部を含み、
前記第１辺部、前記第２辺部、前記第３辺部および前記第４辺部のうちの少なくとも２つの前記外側面部、前記上面部および前記内側面部のいずれかが互いに直交する方向に嵌合している、請求項１〜７のいずれか１項に記載の段ボール製緩衝材。
【請求項９】
前記第１辺部および前記第２辺部は、互いに対向するように配置されているとともに、前記第３辺部は、前記第１辺部の端部と前記第２辺部の端部とを連結するように設けられており、
前記第３辺部の内側面部が、前記第１辺部の内側面部および前記第２辺部の内側面部の両方に直交する方向に嵌合している、請求項８に記載の段ボール製緩衝材。
【請求項１０】
前記第１辺部、前記第２辺部および前記第３辺部の各々の内側面部は、前記上面部に接続され鉛直下方向に延びる上部内側面部と、前記上部内側面部と略平行に鉛直下方向に延びる下部内側面部とを含み、
前記第３辺部の下部内側面部が、前記第１辺部の下部内側面部および前記第２辺部の下部内側面部の両方に直交する方向に嵌合している、請求項９に記載の段ボール製緩衝材。
【請求項１１】
前記第１辺部の下部内側面部および前記第２辺部の下部内側面部には、上端から下方に延びる第１切込部が設けられており、
前記第３辺部の下部内側面部には、下端から上方に延びる第２切込部が設けられており、
前記第３辺部の第２切込部が、上方から前記第１辺部および前記第２辺部の前記第１切込部に直交する方向に嵌合されている、請求項１０に記載の段ボール製緩衝材。
【請求項１２】
前記第１辺部、前記第２辺部、前記第３辺部および前記第４辺部は、それぞれ、外側面部、上面部、内側面部を含み、
前記第１辺部の内側面部は、前記第１辺部の内側面部の前記第４辺部に当接する端部から、前記第４辺部とは反対側の前記第１辺部の外側面部側に折り曲げられて延びるとともに、前記第１辺部の外側面部の内側に当接する第１延長部を含み、
前記第２辺部の内側面部は、前記第２辺部の内側面部の前記第４辺部に当接する端部から、前記第４辺部とは反対側の前記第２辺部の外側面部側に折り曲げられて延びるとともに、前記第２辺部の外側面部の内側に当接する第２延長部を含む、請求項１〜１１のいずれか１項に記載の段ボール製緩衝材。
【請求項１３】
前記矩形の枠状部は、前記第１辺部の底部、前記第２辺部の底部、前記第３辺部の底部、および、前記第４辺部の底部によって、少なくとも支持されている、請求項１〜１２のいずれか１項に記載の段ボール製緩衝材。
【請求項１４】
前記第１辺部の底部、前記第２辺部の底部、前記第３辺部の底部、および、前記第４辺部の底部のうちの少なくとも１つには、底部切欠部が設けられている、請求項１〜１３のいずれか１項に記載の段ボール製緩衝材。
【請求項１５】
前記段ボール製緩衝材を展開した際の段ボールは、前記第１辺部、前記第２辺部、前記第３辺部、および、前記第４辺部を一列に並べた略長方形形状を有する、請求項１〜１４のいずれか１項に記載の段ボール製緩衝材。
【発明の詳細な説明】
【技術分野】
【０００１】
この発明は、段ボール製緩衝材に関し、特に、辺部を備える段ボール製緩衝材に関する。
【背景技術】
【０００２】
従来、辺部を備える段ボール製緩衝材が知られている（たとえば、特許文献１参照）。
【０００３】
上記特許文献１には、矩形形状の底面と、底面を取り囲むように矩形の枠状に形成される第１側面（第１辺部）、第２側面（第２辺部）、第３側面（第３辺部）および第４側面（第４辺部）とを備える製品収納用トレイ（段ボール製緩衝材）が開示されている。この製品収納用トレイでは、底面、第１側面、第２側面、第３側面および第４側面は、１枚の段ボールにより構成されている。そして、この製品収納用トレイを展開した際の段ボールは、底面を中心にして、第１の方向に沿って底面の両側に第１側面および第２側面が配置され、第１の方向に直交する第２の方向に沿って底面の両側に第３側面および第４側面が配置される略十字形状となる。また、この製品収納用トレイの第１側面および第２側面には、それぞれ、Ｌ字形状の係合部が設けられている。そして、第１側面および第２側面が底面に対して折り曲げられて対向するように配置された状態で、第１側面のＬ字形状の係合部と第２側面のＬ字形状の係合部とが水平面内（ＸＹ面内）の一方向（たとえばＸ方向）に沿って一直線状に係合するように構成されている。これにより、第１側面のＬ字形状の係合部と第２側面のＬ字形状の係合部とが係合する方向の力に対する機械的強度を高めることが可能となる。
【先行技術文献】
【特許文献】
【０００４】
【特許文献１】特開２００９−１９０７６０号公報
【発明の概要】
【発明が解決しようとする課題】
【０００５】
しかしながら、上記特許文献１に記載の製品収納用トレイでは、製品収納用トレイを展開した際の段ボールが略十字形状となるため、矩形形状の段ボール材から略十字形状の段ボール材を材料取りする場合に、矩形形状のうち略十字形状を除く部分が捨てられることになり、その結果、段ボールの材料取りが悪くなるという不都合がある。この不都合を解消するためには、底面を設けないことが考えられる一方、底面を設けない場合は、段ボール製緩衝材の機械的強度が低下するので、機械的強度を十分に確保するのが困難になるという不都合がある。なお、特許文献１の製品収納用トレイでは、第１側面のＬ字形状の係合部と第２側面のＬ字形状の係合部とが、水平面内の一方向に沿って一直線状に係合しているため、第１側面のＬ字形状の係合部と第２側面のＬ字形状の係合部とが係合する方向の力に対する機械的強度が高められている一方、第１側面のＬ字形状の係合部と第２側面のＬ字形状の係合部とが係合する方向と直交する方向に力が加わった場合、係合が解除されやすいため、この点でも、製品収納用トレイ（段ボール製緩衝材）の機械的強度を十分に確保するのが困難であるという問題点がある。
【０００６】
この発明は、上記のような課題を解決するためになされたものであり、この発明の１つの目的は、材料取りが悪くなるのを抑制しながら機械的強度を十分に確保することが可能な段ボール製緩衝材を提供することである。
【課題を解決するための手段および発明の効果】
【０００７】
この発明の一の局面による段ボール製緩衝材は、底部が開口している矩形の枠状部を構成するように一体的に設けられる第１辺部、第２辺部、第３辺部および第４辺部を備え、第１辺部、第２辺部、第３辺部および第４辺部のうちの少なくとも２つは、互いに直交する方向に嵌合されている。
【０００８】
この一の局面による段ボール製緩衝材では、上記のように、第１辺部、第２辺部、第３辺部および第４辺部を、底部が開口している矩形の枠状部を構成するように一体的に設けることによって、段ボール製緩衝材の底部に底面板が設けられないので、段ボール製緩衝材を展開した際の段ボールが略十字形状にならないようにすることができる。これにより、段ボール製緩衝材を展開した際の段ボールが略十字形状になることに起因して、材料取りが悪くなるのを抑制することができる。また、第１辺部、第２辺部、第３辺部および第４辺部のうちの少なくとも２つを互いに直交する方向に嵌合することにより、一方向に沿って一直線状に辺部が嵌合される場合と異なり、一方向の力のみならず、一方向と直交する方向の力に対しても嵌合が解除されるのを抑制することができる。これにより、底面板を設けなくても機械的強度を十分に確保することができる。
【０００９】
上記一の局面による段ボール製緩衝材において、好ましくは、第１辺部、第２辺部、第３辺部および第４辺部のうちの少なくとも１つは、水平方向に延びる棚面部を含む。このように構成すれば、容易に、物体を中空に浮かせた状態で（つまり、物体の底部が段ボール製緩衝材の底部に接しない状態で）、物体を段ボール製緩衝材内に収納することができる。
【００１０】
この場合、好ましくは、第１辺部、第２辺部、第３辺部および第４辺部は、それぞれ、外側面部、上面部、内側面部を含み、第１辺部、第２辺部、第３辺部および第４辺部のうちの少なくとも１つの内側面部は、上面部に接続され鉛直下方向に延びる上部内側面部と、上部内側面部と略平行に鉛直下方向に延びる下部内側面部とを含み、水平方向に延びる棚面部は、上部内側面部と下部内側面部とを接続するように構成されている。このように構成すれば、棚面部を設けずに辺部がＵ字形状の縦断面を有する場合（外側面、上面および内側面の３面）と比べて、辺部を構成する面が多くなる（外側面、上面、上部内側面、棚面および下部内側面の５面）ので、辺部に対する斜め方向の力による歪みを抑制することができる。
【００１１】
上記棚面部を含む段ボール製緩衝材において、好ましくは、第１辺部および第２辺部は、互いに対向するように配置されているとともに、第３辺部は、第１辺部の端部と第２辺部の端部とを連結するように設けられており、第１辺部、第２辺部および第３辺部は、それぞれ、棚面部を含み、第１辺部および第２辺部の少なくとも一方の棚面部には、第１孔部が設けられ、第３辺部の棚面部には、第１孔部に差し込まれる差込部が設けられている。このように構成すれば、第１孔部に差し込まれた差込部により、第３辺部の棚面部が上方に浮き上がるのを抑制することができる。これによっても、機械的強度を確保することができる。
【００１２】
この場合、好ましくは、第１孔部は、第１辺部および第２辺部の両方の棚面部に設けられているとともに、第１孔部は、棚面部の厚み分切り欠かれた棚面切欠部を含み、第３辺部の棚面部の差込部を、第１辺部および第２辺部の第１孔部に差し込むことにより、第３辺部の棚面部が第１辺部および第２辺部の棚面切欠部に配置されることによって、第１辺部および第２辺部の棚面部と、第３辺部の棚面部とが略面一になるように構成されている。このように構成すれば、第１辺部および第２辺部の棚面部と、第３辺部の棚面部とが略面一になるので、第１辺部、第２辺部および第３辺部の棚面部上に、物体（たとえば電子機器など）を載置した場合、物体ががたつくのを抑制することができる。
【００１３】
上記第３辺部の棚面部に第１孔部に差し込まれる差込部が設けられている段ボール製緩衝材において、好ましくは、第３辺部に含まれる棚面部には、第３辺部の外側面部の内側に向かって突出して延びるように形成されるとともに、第３辺部の外側面部の内側に当接する当接部が設けられている。このように構成すれば、第３辺部の内側面部に対して第３辺部の外側面部に向かう方向に力が加わった場合でも、外側面部の内側に当接する当接部により第３辺部が凹むのを抑制することができるので、第３辺部の機械的強度を高めることができる。
【００１４】
この場合、好ましくは、第３辺部は、第２孔部を含み、当接部は、第２孔部を介して、外側面部の内側に当接するように構成されている。このように構成すれば、第３辺部の当接部を、第２孔部を介して容易に外側面部の内側に当接させることができる。
【００１５】
上記一の局面による段ボール製緩衝材において、好ましくは、第１辺部、第２辺部、第３辺部および第４辺部は、それぞれ、外側面部、上面部、内側面部を含み、第１辺部、第２辺部、第３辺部および第４辺部のうちの少なくとも２つの外側面部、上面部および内側面部のいずれかが互いに直交する方向に嵌合している。このように構成すれば、互いに直交する方向に嵌合している第１辺部、第２辺部、第３辺部および第４辺部のうちの少なくとも２つの外側面部、上面部および内側面部により、底面板を設けない場合にも機械的強度を十分に確保することができる。
【００１６】
この場合、好ましくは、第１辺部および第２辺部は、互いに対向するように配置されているとともに、第３辺部は、第１辺部の端部と第２辺部の端部とを連結するように設けられており、第３辺部の内側面部が、第１辺部の内側面部および第２辺部の内側面部の両方に直交する方向に嵌合している。このように構成すれば、嵌合している箇所が２箇所になるので、１箇所で嵌合している場合と比べて、機械的強度を向上させることができる。その結果、底面板を設けない場合にも、より十分な機械的強度を確保することができる。
【００１７】
上記第３辺部の内側面部が第１辺部の内側面部および第２辺部の内側面部の両方に直交する方向に嵌合している段ボール製緩衝材において、好ましくは、第１辺部、第２辺部および第３辺部の各々の内側面部は、上面部に接続され鉛直下方向に延びる上部内側面部と、上部内側面部と略平行に鉛直下方向に延びる下部内側面部とを含み、第３辺部の下部内側面部が、第１辺部の下部内側面部および第２辺部の下部内側面部の両方に直交する方向に嵌合している。このように構成すれば、第３辺部の下部内側面部と、第１辺部の下部内側面部および第２辺部の下部内側面部との嵌合により、底面板を設けない場合にも、十分な機械的強度を確保することができる。
【００１８】
この場合、好ましくは、第１辺部の下部内側面部および第２辺部の下部内側面部には、上端から下方に延びる第１切込部が設けられており、第３辺部の下部内側面部には、下端から上方に延びる第２切込部が設けられており、第３辺部の第２切込部が、上方から第１辺部および第２辺部の第１切込部に直交する方向に嵌合されている。このように構成すれば、第１辺部の下部内側面部および第２辺部の下部内側面部に設けられる第１切込部と、第３辺部の下部内側面部に設けられる第２切込部とによって、容易に、第３辺部と、第１辺部および第２辺部とを直交する方向に嵌合させることができる。
【００１９】
上記一の局面による段ボール製緩衝材において、好ましくは、第１辺部、第２辺部、第３辺部および第４辺部は、それぞれ、外側面部、上面部、内側面部を含み、第１辺部の内側面部は、第１辺部の内側面部の第４辺部に当接する端部から、第４辺部とは反対側の第１辺部の外側面部側に折り曲げられて延びるとともに、第１辺部の外側面部の内側に当接する第１延長部を含み、第２辺部の内側面部は、第２辺部の内側面部の第４辺部に当接する端部から、第４辺部とは反対側の第２辺部の外側面部側に折り曲げられて延びるとともに、第２辺部の外側面部の内側に当接する第２延長部を含む。このように構成すれば、第１辺部の第１延長部と、第４辺部と、第２辺部の第２延長部とが、直線状に配置されるので、第１辺部の第１延長部と、第４辺部と、第２辺部の第２延長部とによって、段ボール製緩衝材が外力により凹むのを抑制することができる。これによっても、底面板を設けない場合にも、十分な機械的強度を確保することができる。
【００２０】
上記一の局面による段ボール製緩衝材において、好ましくは、矩形の枠状部は、第１辺部の底部、第２辺部の底部、第３辺部の底部、および、第４辺部の底部によって、少なくとも支持されている。このように構成すれば、段ボール製緩衝材の４方の底部が支持されるので、段ボール製緩衝材を安定して配置することができる。
【００２１】
上記一の局面による段ボール製緩衝材において、好ましくは、第１辺部の底部、第２辺部の底部、第３辺部の底部、および、第４辺部の底部のうちの少なくとも１つには、底部切欠部が設けられている。このように構成すれば、底部切欠部と支持面との間の空間に物体（物品）を収納することができる。
【００２２】
上記一の局面による段ボール製緩衝材において、好ましくは、段ボール製緩衝材を展開した際の段ボールは、第１辺部、第２辺部、第３辺部、および、第４辺部を一列に並べた略長方形形状を有する。このように構成すれば、段ボール製緩衝材を展開した際の段ボールが略十字形状を有し、矩形形状の段ボール材から略十字形状の段ボール材を材料取りする場合のように、矩形形状のうち略十字形状を除く部分が捨てられるのが抑制される。これにより、段ボールの材料取りを良くすることができる。
【図面の簡単な説明】
【００２３】
【図１】本発明の一実施形態による３つの段ボール製緩衝材の斜視図である。
【図２】本発明の一実施形態による３つの段ボール製緩衝材を化粧箱に収納した状態を示す斜視図である。
【図３】本発明の一実施形態による中段の段ボール製緩衝材の斜視図である。
【図４】本発明の一実施形態による段ボール製緩衝材に収納されるデジタルフォトフレームの表面側の斜視図である。
【図５】本発明の一実施形態による段ボール製緩衝材にデジタルフォトフレームを収納した状態を示した斜視図である。
【図６】図３の嵌合されていた第３辺部の下部内側面部の嵌合状態を解除した状態を示す図である。
【図７】本発明の一実施形態による中段の段ボール製緩衝材の裏面図である。
【図８】本発明の一実施形態による中段の段ボール製緩衝材の第１辺部と第３辺部とが嵌合している状態を説明するための図である。
【図９】図３の２００−２００線に沿った断面図である。
【図１０】本発明の一実施形態による中段の段ボール製緩衝材をＹ２方向側から見た斜視図である。
【図１１】本発明の一実施形態による中段の段ボール製緩衝材の展開図である。
【図１２】図３の３００−３００線に沿った断面図である。
【図１３】本発明の一実施形態の第１変形例による段ボール製緩衝材の斜視図である。
【図１４】本発明の一実施形態の第２変形例による段ボール製緩衝材の斜視図である。
【図１５】本発明の一実施形態の第３変形例による段ボール製緩衝材の斜視図である。
【図１６】本発明の一実施形態の第４変形例による段ボール製緩衝材の斜視図である。
【図１７】本発明の一実施形態の第５変形例による段ボール製緩衝材の斜視図である。
【図１８】本発明の一実施形態の第６変形例による段ボール製緩衝材の断面図である。
【発明を実施するための形態】
【００２４】
以下、本発明を具体化した実施形態を図面に基づいて説明する。
【００２５】
図１〜図１１を参照して、本発明の一実施形態による段ボール製緩衝材１００の構成について説明する。
【００２６】
本実施形態による段ボール製緩衝材１００は、図１に示すように、下段の段ボール製緩衝材１０１、中段の段ボール製緩衝材１０２、および、上段の段ボール製緩衝材１０３から構成されている。段ボール製緩衝材１０１および１０３は、箱状に形成されている。また、段ボール製緩衝材１０１〜１０３は、図２に示すように、化粧箱１１０に収納される。
【００２７】
ここで、本実施形態では、図３に示すように、段ボール製緩衝材１０２は、第１辺部１、第２辺部２、第３辺部３および第４辺部４を含んでいる。段ボール製緩衝材１０２は、第１辺部１、第２辺部２、第３辺部３および第４辺部４によって矩形の枠状に形成されている。また、第１辺部１、第２辺部２、第３辺部３および第４辺部４は、一体的に形成されている。また、段ボール製緩衝材１０２には、底面（底面板）は設けられずに開口している。
【００２８】
第１辺部１と第２辺部２とは、対向するように配置されている。また、第３辺部３は、第１辺部１および第２辺部２と直交するとともに、第１辺部１および第２辺部２の端部を連結するように設けられている。また、第４辺部４は、第１辺部１および第２辺部２と直交するとともに、第１辺部１および第２辺部２の端部を連結するように設けられている。
【００２９】
また、段ボール製緩衝材１０２には、図４に示すデジタルフォトフレーム４００が載置されるように構成されている（図５参照）。なお、デジタルフォトフレーム４００には、液晶からなる表示部４０１と、デジタルフォトフレーム４００を支持する突起状のスタンド部４０２とから構成されている。また、デジタルフォトフレーム４００の表示部４０１は、後述する第１辺部１の棚面部１４、第２辺部２の棚面部２４、および、第３辺部３の棚面部３４の表面上に載置（図１２参照）される。また、デジタルフォトフレーム４００のスタンド部４０２は、第１辺部１の下部内側面部１５、第２辺部２の下部内側面部２５、第３辺部３の下部内側面部３５および第４辺部４の内側面部４３により囲まれた空間（図１２参照）に配置される。これにより、デジタルフォトフレーム４００は、中空に浮いた状態で（つまり、デジタルフォトフレーム４００のスタンド部４０２が段ボール製緩衝材１０２の底部に接しない状態で）、段ボール製緩衝材１０２の中に収納される。
【００３０】
また、本実施形態では、第１辺部１は、外側面部１１と、上面部１２と、上部内側面部１３と、棚面部１４と、下部内側面部１５とによって構成されている。なお、上部内側面部１３および下部内側面部１５は、本発明の「内側面部」の一例である。外側面部１１は、鉛直下方向（Ｚ１方向）に延びるように設けられている。上面部１２は、外側面部１１に直交するとともに、水平方向に延びるように設けられている。上部内側面部１３は、上面部１２に直交するとともに、鉛直下方向に延びるように設けられている。棚面部１４は、上部内側面部１３に直交するとともに、水平方向に延びるように設けられている。下部内側面部１５は、棚面部１４に直交するとともに、鉛直下方向に延びるように設けられている。そして、図９に示すように、第１辺部１は、外側面部１１、上面部１２、上部内側面部１３、棚面部１４、および、下部内側面部１５によって、底面を有しない枠状の断面を有するように形成されている。なお、上部内側面部１３の鉛直方向（Ｚ方向）の長さＬ１は、下部内側面部１５の鉛直方向の長さＬ２よりも小さい（Ｌ１＜Ｌ２）。すなわち、棚面部１４は、段ボール製緩衝材１０２の上面部１２側（Ｚ２方向側）に配置されている。
【００３１】
また、本実施形態では、図６に示すように、第１辺部１の棚面部１４には、平面的に見て、略矩形形状の孔部１４ａが設けられている。なお、孔部１４ａは、本発明の「第１孔部」の一例である。この孔部１４ａは、後述する第３辺部３の棚面部３４に接続される差込部３４ａが差し込まれるように構成されている。また、孔部１４ａは、後述する第３辺部３の棚面部３４の厚みｔ分切り欠かれた切欠部１４ｂを含んでいる。なお、切欠部１４ｂは、本発明の「棚面切欠部」の一例である。また、第１辺部１の下部内側面部１５のＹ２方向側の端部は、後述する第３辺部３の外側面部３１の内側に当接するように構成されている。また、下部内側面部１５には、孔部１４ａに連続するように、上端から下方に延びる切込部１５ａが設けられている。なお、切込部１５ａは、本発明の「第１切込部」の一例である。切込部１５ａは、後述する第３辺部３の下部内側面部３５に設けられる切込部３５ａと互いに直交する方向に嵌合するように構成されている。
【００３２】
また、本実施形態では、図３および図７に示すように、下部内側面部１５には、下部内側面部１５のＹ１方向の第４辺部４に当接する端部から、第４辺部４とは反対側の外側面部１１（Ｘ１方向）側に折り曲げられて延びるとともに、外側面部１１の内側に後述する延長部４７（図７参照）を介して当接する延長部１６が設けられている。なお、延長部１６は、本発明の「第１延長部」の一例である。
【００３３】
また、図１１に示すように第１辺部１の外側面部１１には、後述する第４辺部４の孔部４８に差し込まれる差込部１７が設けられている。
【００３４】
また、図１０に示すように、第２辺部２は、第１辺部１と同様の構成を有する。すなわち、本実施形態では、第２辺部２は、外側面部２１と、上面部２２と、上部内側面部２３と、棚面部２４と、下部内側面部２５とによって構成されている。なお、上部内側面部２３および下部内側面部２５は、本発明の「内側面部」の一例である。
【００３５】
また、本実施形態では、図６に示すように、第２辺部２の棚面部２４には、平面的に見て、略矩形形状の孔部２４ａが設けられている。なお、孔部２４ａは、本発明の「第１孔部」の一例である。この孔部２４ａは、後述する第３辺部３の棚面部３４に接続される差込部３４ｂが差し込まれるように構成されている。また、孔部２４ａは、第３辺部３の棚面部３４の厚みｔ分切り欠かれた切欠部２４ｂを含んでいる。なお、切欠部２４ｂは、本発明の「棚面切欠部」の一例である。また、第２辺部２の下部内側面部２５のＹ２方向側の端部は、後述する第３辺部３の外側面部３１の内側に当接するように構成されている。また、下部内側面部２５には、孔部２４ａに連続するように、上端から下方に延びる切込部２５ａが設けられている。なお、切込部２５ａは、本発明の「第１切込部」の一例である。切込部２５ａは、後述する第３辺部３の下部内側面部３５に設けられる切込部３５ｂと互いに直交する方向に嵌合するように構成されている。
【００３６】
また、本実施形態では、図７に示すように、下部内側面部２５には、下部内側面部２５のＹ１方向の第４辺部４に当接する端部から、第４辺部４とは反対側の外側面部２１（Ｘ２方向）側に折り曲げられて延びるとともに、外側面部２１の内側に当接する延長部２６が設けられている。なお、延長部２６は、本発明の「第２延長部」の一例である。
【００３７】
また、図９に示すように、上部内側面部２３の鉛直方向（Ｚ方向）の長さＬ１は、下部内側面部２５の鉛直方向の長さＬ２よりも小さい（Ｌ１＜Ｌ２）。すなわち、棚面部２４は、段ボール製緩衝材１０２の上面部２２側（Ｚ２方向側）に配置されている。
【００３８】
また、図３に示すように、本実施形態では、第３辺部３は、外側面部３１と、上面部３２と、上部内側面部３３と、棚面部３４と、下部内側面部３５とによって構成されている。なお、上部内側面部３３および下部内側面部３５は、本発明の「内側面部」の一例である。外側面部３１は、鉛直下方向に延びるように設けられている。上面部３２は、外側面部３１に直交するとともに、水平方向に延びるように設けられている。上部内側面部３３は、上面部３２に直交するとともに、鉛直下方向に延びるように設けられている。棚面部３４は、上部内側面部３３に直交するとともに、水平方向に延びるように設けられている。下部内側面部３５は、棚面部３４に直交するとともに、鉛直下方向に延びるように設けられている。
【００３９】
また、本実施形態では、図６に示すように、第３辺部３の下部内側面部３５には、下端から上方に延びる切込部３５ａと切込部３５ｂとが設けられている。なお、切込部３５ａおよび切込部３５ｂは、本発明の「第２切込部」の一例である。切込部３５ａは、第１辺部１の下部内側面部１５に設けられる切込部１５ａに互いに直交する方向に嵌合するように構成されている。切込部３５ｂは、第２辺部２の下部内側面部２５に設けられる切込部２５ａに互いに直交する方向に嵌合するように構成されている。
【００４０】
また、本実施形態では、図６および図７に示すように、第３辺部３の棚面部３４のＸ１方向側の端部には、第１辺部１の棚面部１４に設けられる孔部１４ａに差し込まれる差込部３４ａが設けられている。また、第３辺部３の棚面部３４のＸ２方向側の端部には、第２辺部２の棚面部２４に設けられる孔部２４ａに差し込まれる差込部３４ｂが設けられている。そして、図８に示すように、第３辺部３の棚面部３４の差込部３４ａを、第１辺部１の孔部１４ａに差し込むことにより、第３辺部３の棚面部３４が第１辺部１の孔部１４ａの切欠部１４ｂに配置されることによって、第３辺部３の棚面部３４と、第１辺部１の棚面部１４とが略面一（図９参照）になる。また、第３辺部３の棚面部３４の差込部３４ｂを、第２辺部２の孔部２４ａに差し込むことにより、第３辺部３の棚面部３４が第２辺部２の孔部２４ａの切欠部２４ｂに配置されることによって、第３辺部３の棚面部３４と、第２辺部２の棚面部２４とが略面一（図９参照）になる。
【００４１】
また、図８に示すように、本実施形態では、第３辺部３の棚面部３４には、棚面部３４の中央部からＹ２方向に沿って延びるように当接部３４ｃが設けられている。なお、当接部３４ｃは、棚面部３４と同一平面上に設けられている。また、第３辺部３の上面部３２と上部内側面部３３とには、上面部３２と上部内側面部３３とに跨るように孔部３６が設けられている。そして、棚面部３４に設けられる当接部３４ｃは、孔部３６を介して、第３辺部３の外側面部３１の内側に当接する（図７参照）ように構成されている。なお、孔部３６は、本発明の「第２孔部」の一例である。
【００４２】
また、孔部３６が、上面部３２および上部内側面部３３に跨るように設けられていることにより、デジタルフォトフレーム４００が棚面部３４（棚面部１４、棚面部２４）の表面上に載置された場合（図１２参照）でも、上面部３２に設けられる孔部３６からユーザが指を差し込むことが可能となる。これにより、デジタルフォトフレーム４００を段ボール製緩衝材１０２から取り出しやすくすることが可能となる。
【００４３】
また、図９に示すように、上部内側面部３３の鉛直方向（Ｚ方向）の長さＬ１は、下部内側面部３５の鉛直方向の長さＬ２よりも小さい（Ｌ１＜Ｌ２）。すなわち、棚面部３４は、段ボール製緩衝材１０２の上面部３２側（Ｚ２方向側）に配置されている。このように、棚面部１４、２４および３４を段ボール製緩衝材１０２の上面部１２、２２および３２側（Ｚ２方向側）に配置することにより、棚面１４、２４および３４から段ボール製緩衝材１０２の底面までの間（下部内側面部１５、下部内側面部２５および下部内側面部３５に囲まれる空間の深さ）を大きくすることが可能になる。
【００４４】
図１０に示すように、第４辺部４は、第１外側面部４１と、上面部４２と、内側面部４３と、底面板４４と、第２外側面部４５とによって構成されている。第１外側面部４１は、鉛直下方向に延びるように設けられている。上面部４２は、第１外側面部４１に直交するとともに、水平方向に延びるように設けられている。内側面部４３は、上面部４２に直交するとともに、鉛直下方向に延びるように設けられている。底面板４４は、内側面部４３に直交するとともに、水平方向に延びるように設けられている。第２外側面部４５は、底面板４４に直交するとともに、鉛直上方向に延びるように設けられている。また、第１外側面部４１の内側の表面と、第２外側面部４５の外側の表面とは、当接するように構成されている。そして、第４辺部４は、第１外側面部４１と、上面部４２と、内側面部４３と、底面板４４と、第２外側面部４５とによって筒状（図１２参照）に形成されている。
【００４５】
また、第４辺部４の内側面部４３は、第１辺部１の棚面部１４および下部内側面部１５と、第２辺部２の棚面部２４および下部内側面部２５とを避けるように、略Ｔ字形状（図１１参照）に形成されている。また、第４辺部４の内側面部４３には、２つの切欠部４３ａおよび４３ｂが設けられている。この２つの切欠部４３ａおよび４３ｂは、デジタルフォトフレーム４００を段ボール製緩衝材１０２の中に収納した状態（図１２参照）で、デジタルフォトフレーム４００のスタンド部４０２の角部４０２ａ（図４および図１２参照）が内側面部４３に接触して内側面部４３に穴が開くのを抑制する（スタンド部４０２の角部４０２ａを逃がす）ために設けられている。
【００４６】
また、図１１に示すように、第４辺部４の第２外側面部４５には、台形形状の孔部４５ａが設けられるとともに、第１外側面部４１には、台形形状の孔部４５ａに差し込まれる台形形状の差込部４６が設けられている。そして、図１０に示すように、第１外側面部４１の表面と第２外側面部４５の表面とが当接された状態で、第１外側面部４１の差込部４６が第２外側面部４５の孔部４５ａに差し込まれるとともに折り返されることにより、第１外側面部４１と第２外側面部４５とが固定されている。
【００４７】
また、図７に示すように、第１外側面部４１には、第１外側面部４１から第１辺部１の外側面部１１の内側に当接するように延長部４７が設けられている。また、延長部４７には、第１辺部１の差込部１７が差し込まれる孔部４８（図１１参照）が設けられている。そして、第１辺部１の差込部１７が第４辺部４の孔部４８に差し込まれることにより、第１辺部１と第４辺部４とが固定（図３参照）されている。
【００４８】
また、図１１に示すように、第１辺部１の外側面部１１と、第３辺部３の外側面部３１とは、接続されている。また、第３辺部３の外側面部３１と、第２辺部２の外側面部２１とは、接続されている。また、第２辺部２の外側面部２１と、第４辺部４の第１外側面部４１とは、接続されている。これにより、段ボール製緩衝材１０２（第１辺部１〜第４辺部４）は、１枚の段ボールにより構成されている。すなわち、本実施形態では、展開した状態の段ボール製緩衝材１０２は、平面的に見て、第１辺部１、第２辺部２、第３辺部３および第４辺部４を一列に並べた略矩形形状に形成されている。
【００４９】
また、本実施形態では、図３および図７に示すように、第１辺部１の外側面部１１の底部１１ａと、第２辺部２の外側面部２１の底部２１ａと、第３辺部３の外側面部３１の底部３１ａと、第４辺部４の底面板４４（第１外側面部４１の底部４１ａ）とによって、段ボール製緩衝材１０２が支持されている。また、図３、図１１および図１２に示すように、第１辺部１の下部内側面部１５の下方には、切欠部１５ｂが設けられている。また、第２辺部２の下部内側面部２５の下方にも切欠部２５ｂが設けられている。なお、切欠部１５ｂおよび２５ｂは、本発明の「底部切欠部」の一例である。そして、図７に示すように、第１辺部１の下部内側面部１５の切欠部１５ｂが設けられていない部分の底部１５ｃ、および、第２辺部２の下部内側面部２５の切欠部２５ｂが設けられていない部分の底部２５ｃによっても、段ボール製緩衝材１０２が支持されている。なお、第１辺部１の下部内側面部１５の切欠部１５ｂが設けられている部分の下方、第２辺部２の下部内側面部２５の切欠部２５ｂが設けられている部分の下方、および、第３辺部３の下部内側面部３５の下方は、取り扱い説明書４０３（図１２参照）などが収納されるように構成されている。なお、段ボール製緩衝材１０２の底部が開口しているので、第１辺部１の下部内側面部１５の切欠部１５ｂと、第２辺部２の下部内側面部２５の切欠部２５ｂとの間の間隔よりも大きい幅を有する取り扱い説明書４０３を収納することが可能となる。
【００５０】
本実施形態では、上記のように、第１辺部１、第２辺部２、第３辺部３および第４辺部４を、底部が開口している矩形の枠状部を構成するように一体的に設けることによって、段ボール製緩衝材１０２の底部に底面板が設けられないので、段ボール製緩衝材１０２を展開した際の段ボールが略十字形状にならないようにすることができる。これにより、段ボール製緩衝材を展開した際の段ボールが略十字形状になることに起因して、材料取りが悪くなるのを抑制することができる。また、第１辺部１および第２辺部２と、第３辺部３とを互いに直交する方向に嵌合することによって、一方向に沿って一直線状に辺部が嵌合される場合と異なり、一方向の力のみならず、一方向と直交する方向の力に対しても嵌合が解除されるのを抑制することができる。これにより、底面板を設けなくても機械的強度を十分に確保することができる。
【００５１】
また、本実施形態では、上記のように、第１辺部１、第２辺部２および第３辺部３は、それぞれ、水平方向に延びる棚面部１４、棚面部２４および棚面部３４を含む。これにより、容易に、デジタルフォトフレーム４００を中空に浮かせた状態で（つまり、デジタルフォトフレーム４００のスタンド部４０２が段ボール製緩衝材１０２の底部に接しない状態で）、デジタルフォトフレーム４００を段ボール製緩衝材１０２内に収納することができる。
【００５２】
また、本実施形態では、上記のように、第１辺部１（第２辺部２、第３辺部３）を、上面部１２（上面部２２、上面部３２）に接続され鉛直下方向に延びる上部内側面部１３（上部内側面部２３、上部内側面部３３）と、上部内側面部１３（上部内側面部２３、上部内側面部３３）に接続され水平方向に延びる棚面部１４（棚面部２４、棚面部３４）と、棚面部１４（棚面部２４、棚面部３４）に接続され鉛直下方向に延びる下部内側面部１５（下部内側面部２５、下部内側面部３５）とを含むように構成する。これにより、棚面部を設けずに辺部がＵ字形状の縦断面を有する場合（外側面、上面および内側面の３面）と比べて、辺部を構成する面が多くなる（外側面、上面、上部内側面、棚面および下部内側面の５面）ので、辺部に対する斜め方向の力による歪みを抑制することができる。
【００５３】
また、本実施形態では、上記のように、第１辺部１の棚面部１４に孔部１４ａを設けるとともに、第２辺部２の棚面部２４に孔部２４ａを設けて、第３辺部３の棚面部３４に、孔部１４ａおよび孔部２４ａに差し込まれる差込部３４ａおよび差込部３４ｂを設ける。これにより、孔部１４ａおよび孔部２４ａにそれぞれ差し込まれた差込部３４ａおよび差込部３４ｂにより、第３辺部３の棚面部３４が上方に浮き上がるのを抑制することができる。これによっても、機械的強度を確保することができる。
【００５４】
また、本実施形態では、上記のように、孔部１４ａおよび孔部２４ａに、それぞれ、棚面部３４の厚みｔ分切り欠かれた切欠部１４ｂおよび切欠部２４ｂを設けて、第３辺部３の棚面部３４の差込部３４ａおよび差込部３４ｂを、第１辺部１の孔部１４ａおよび第２辺部２の孔部２４ａに差し込むことにより、第３辺部３の棚面部３４が第１辺部１の切欠部１４ｂおよび第２辺部２の切欠部２４ｂに配置されることによって、第１辺部１の棚面部１４および第２辺部２の棚面部２４と、第３辺部３の棚面部３４とが略面一になるように構成する。これにより、第１辺部１の棚面部１４および第２辺部２の棚面部２４と、第３辺部３の棚面部３４とが略面一になるので、第１辺部１の棚面部１４、第２辺部２の棚面部２４、および、第３辺部３の棚面部３４上に、デジタルフォトフレーム４００を載置した場合、デジタルフォトフレーム４００ががたつくのを抑制することができる。
【００５５】
また、本実施形態では、上記のように、第３辺部３の棚面部３４に、第３辺部３の外側面部３１の内側に向かって突出して延びるように形成されるとともに、外側面部３１の内側に当接する当接部３４ｃを設ける。これにより、第３辺部３の下部内側面部３５に対して外側面部３１に向かう方向に力が加わった場合でも、外側面部３１の内側に当接する当接部３４ｃにより第３辺部３が凹むのを抑制することができるので、第３辺部３の機械的強度を高めることができる。
【００５６】
また、本実施形態では、上記のように、第３辺部３の上部内側面部３３に、孔部３６を設けて、当接部３４ｃを、孔部３６を介して、外側面部３１の内側に当接するように構成する。これにより、第３辺部３の当接部３４ｃを、孔部３６を介して容易に外側面部３１の内側に当接させることができる。
【００５７】
また、本実施形態では、上記のように、第１辺部１および第２辺部２は、互いに対向するように配置されているとともに、第３辺部３は、第１辺部１および第２辺部２の端部を連結するように設けられており、第３辺部３の下部内側面部３５が、第１辺部１の下部内側面部１５および第２辺部２の下部内側面部２５の両方に直交する方向に嵌合している。これにより、直交する方向に嵌合している箇所が２箇所になるので、１箇所で嵌合している場合と比べて、機械的強度を向上させることができる。その結果、底面板を設けない場合にも、より十分な機械的強度を確保することができる。
【００５８】
また、本実施形態では、上記のように、第１辺部１の下部内側面部１５および第２辺部２の下部内側面部２５に、それぞれ、上端から下方に延びる切込部１５ａおよび切込部２５ａを設け、第３辺部３の下部内側面部３５に、下端から上方に延びる切込部３５ａおよび切込部３５ｂを設けて、第３辺部３の切込部３５ａおよび切込部３５ｂを、それぞれ、上方から第１辺部１の切込部１５ａおよび第２辺部２の切込部２５ａに直交する方向に嵌合させる。これにより、第１辺部１の切込部１５ａおよび第２辺部２の切込部２５ａと、第３辺部３の切込部３５ａおよび切込部３５ｂとによって、容易に、第３辺部３と、第１辺部１および第２辺部２とを直交する方向に嵌合させることができる。
【００５９】
また、本実施形態では、上記のように、第１辺部１の下部内側面部１５に、第１辺部１の下部内側面部１５の第４辺部４に当接する端部から、第４辺部４とは反対側の第１辺部１の外側面部１１側に折り曲げられて延びるとともに、第１辺部１の外側面部１１の内側に当接する延長部１６を設けるとともに、第２辺部２の下部内側面部２５に、第２辺部２の下部内側面部２５の第４辺部４に当接する端部から、第４辺部４とは反対側の第２辺部２の外側面部２１側に折り曲げられて延びるとともに、第２辺部２の外側面部２１の内側に当接する延長部２６を設ける。これにより、第１辺部１の延長部１６と、第４辺部４と、第２辺部２の延長部２６とが、直線状に配置されるので、第１辺部１の延長部１６と、第４辺部４と、第２辺部２の延長部２６とによって、段ボール製緩衝材１０２が外力により凹むのを抑制することができる。これによっても、底面板を設けない場合にも、十分な機械的強度を確保することができる。
【００６０】
また、本実施形態では、上記のように、段ボール製緩衝材１０２は、第１辺部１の外側面部１１の底部１１ａ、第２辺部２の外側面部２１の底部２１ａ、第３辺部３の外側面部３１の底部３１ａ、および、第４辺部４の第１外側面部４１の底部４１ａによって、支持されている。これにより、段ボール製緩衝材１０２の４方の底部が支持されるので、段ボール製緩衝材１０２を安定して配置することができる。
【００６１】
また、本実施形態では、上記のように、第１辺部１の下部内側面部１５の下方に切欠部１５ｂを設けるとともに、第２辺部２の下部内側面部２５の下方に切欠部２５ｂを設ける。これにより、第１辺部１の下部内側面部１５の切欠部１５ｂおよび第２辺部２の下部内側面部２５の切欠部２５ｂと、段ボール製緩衝材１０２の支持面との間の空間に取り扱い説明書４０３を収納することができる。
【００６２】
また、本実施形態では、上記のように、段ボール製緩衝材１０２を展開した際の段ボールを、第１辺部１、第２辺部２、第３辺部３、および、第４辺部４を一列に並べた略長方形形状を有するように構成する。これにより、段ボール製緩衝材を展開した際の段ボールが略十字形状を有し、矩形形状の段ボール材から略十字形状の段ボール材を材料取りする場合のように、矩形形状のうち略十字形状を除く部分が捨てられるのが抑制される。これにより、段ボールの材料取りを良くすることができる。
【００６３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６４】
たとえば、上記実施形態では、第１辺部および第２辺部の両方と、第３辺部とが嵌合する例を示したが、本発明はこれに限らず、第１辺部および第２辺部のうちの一方と、第３辺部とを嵌合するようにしてもよい。たとえば、図１３に示す第１変形例による段ボール製緩衝材１０２ａのように、第１辺部１の切込部１５ａと、第３辺部３ａの切込部３５ａとを嵌合するようにしてもよい。なお、第２辺部２ａには、孔部および切込部は設けられない。また、第３辺部３ａの第２辺部２ａ側は、第２辺部２ａが露出するように切り欠かれている。
【００６５】
また、上記実施形態では、第１辺部および第２辺部の下部内側面部と、第３辺部の下部内側面部とが嵌合する例を示したが、本発明はこれに限らず、第１辺部および第２辺部と、第３辺部とを下部内側面部以外の部分により嵌合させてもよい。たとえば、図１４に示す第２変形例による段ボール製緩衝材１０２ｂのように、下部内側面部に加えて、第１辺部１ａ（第２辺部２ｂ）の上部内側面部１３ａと、第３辺部３ｂの上部内側面部３３ａとを嵌合させてもよい。
【００６６】
また、上記実施形態では、第１辺部および第２辺部と、第３辺部とが嵌合する例を示したが、本発明はこれに限らず、第３辺部に加えて、第１辺部および第２辺部と第４辺部とを嵌合するようにしてもよい。たとえば、図１５に示す第３変形例による段ボール製緩衝材１０２ｃのように、第４辺部４ａに上部内側面部４３ｃ、棚面部４３ｄおよび下部内側面部４３ｅを設けて、第３辺部３に加えて、第１辺部１の下部内側面部１５および第２辺部２の下部内側面部２５と、第４辺部４ａの下部内側面部４３ｅとを嵌合するようにしてもよい。
【００６７】
また、上記実施形態では、第４辺部に棚面部を設けずに、第１〜第３辺部に棚面部を設ける例を示したが、本発明はこれに限らない。たとえば、図１５に示す第３変形例による段ボール製緩衝材１０２ｃのように、第１〜第４辺部の全てに棚面部を設けてもよい。また、第１〜第４辺部の全てに棚面部を設けなくてもよい。
【００６８】
また、上記実施形態では、第３辺部に外側面部の内側に当接する当接部を設ける例を示したが、本発明はこれに限らない。たとえば、図１６に示す第４変形例による段ボール製緩衝材１０２ｄのように、第３辺部３に加えて、第２辺部２ｃ（または第１辺部）の上面部２２ａおよび上部内側面部２３ａに跨るように孔部２３ｂを設けるとともに、棚面部２４ｃに当接部２４ｄを設けてもよい。
【００６９】
また、上記実施形態では、第１辺部の下部内側面部および第２辺部の下部内側面部に設けられる上端から下方に延びる切込部と、第３辺部の下部内側面部に下端から上方に延びる切込部とを嵌合させる例を示したが、本発明はこれに限らない。たとえば、図１７に示す第５変形例による段ボール製緩衝材１０２ｅのように、第１辺部１ｂに切込部１５ａ（図６参照）を設けないとともに第２辺部２ｄに切込部２５ａ（図６参照）を設けずに、第３辺部３ｃの切込部３５ｃおよび切込部３５ｄと、第１辺部１の下部内側面部１５および第２辺部２の下部内側面部２５とを嵌合させるようにしてもよい。
【００７０】
また、上記実施形態では、第１辺部の下部内側面部の下方、および、第２辺部の下部内側面部の下方に取り扱い説明書を収納するための切欠部（図１２参照）を設ける例を示したが、本発明はこれに限らない。たとえば、図１８に示す第６変形例による段ボール製緩衝材１０２ｆのように、第１辺部１ｃの下部内側面部１５ｄの下方（第２辺部の下部内側面部の下方）に切欠部を設けなくてもよい。
【００７１】
また、上記実施形態では、段ボール製緩衝材にデジタルフォトフレームが収納される例を示したが、本発明はこれに限らない。たとえば、段ボール製緩衝材に時計、携帯情報端末（ＰＤＡ）など、デジタルフォトフレーム以外の電子機器を収納するようにしてもよい。
【００７２】
また、上記実施形態では、段ボール製緩衝材に突起状のスタンド部を有するデジタルフォトフレームが収納される例を示したが、本発明はこれに限らない。たとえば、突起状の部分を有しない平板状の電子機器を収納してもよい。この場合、電子機器の下方（下部内側面部に囲まれた空間）には、付属部品などを収容することが可能である。
【符号の説明】
【００７３】
１、１ａ、１ｂ、１ｃ  第１辺部
２、２ａ、２ｂ、２ｃ、２ｄ  第２辺部
３、３ａ、３ｂ、３ｃ  第３辺部
４、４ａ  第４辺部
１１、２１、３１  外側面部
１１ａ、２１ａ、３１ａ、４１ａ  底部
１２、２２、２２ａ、３２  上面部
１３、１３ａ、２３、２３ａ、３３、３３ａ、４３ｃ  上部内側面部（内側面部）
１４、２４、２４ｃ、３４、４３ｄ  棚面部
１４ａ、２４ａ  孔部（第１孔部）
１４ｂ、２４ｂ  切欠部（棚面切欠部）
１５、１５ｄ、２５、３５、４３ｅ  下部内側面部（内側面部）
１５ａ、２５ａ  切込部（第１切込部）
１５ｂ、２５ｂ  切欠部（底部切欠部）
１６  延長部（第１延長部）
２３ｂ  孔部（第２孔部）
２４ｄ  当接部
２６  延長部（第２延長部）
３４ａ、３４ｂ  差込部
３４ｃ  当接部
３５ａ、３５ｂ  切込部（第２切込部）
３６  孔部（第２孔部）
１０２、１０２ａ、１０２ｂ、１０２ｃ、１０２ｄ、１０２ｅ、１０２ｆ  段ボール製緩衝材
【図１】
2013001430.tif 000003
【図２】
2013001430.tif 000004
【図３】
2013001430.tif 000005
【図４】
2013001430.tif 000006
【図５】
2013001430.tif 000007
【図６】
2013001430.tif 000008
【図７】
2013001430.tif 000009
【図８】
2013001430.tif 000010
【図９】
2013001430.tif 000011
【図１０】
2013001430.tif 000012
【図１１】
2013001430.tif 000013
【図１２】
2013001430.tif 000014
【図１３】
2013001430.tif 000015
【図１４】
2013001430.tif 000016
【図１５】
2013001430.tif 000017
【図１６】
2013001430.tif 000018
【図１７】
2013001430.tif 000019
【図１８】
2013001430.tif 000020